(57)【要約】【課題】複数の物品に対する運転を同時に行う場合において、各物品に対する運転の進行状況を容易に把握でき、作業効率の向上と各物品の取出し忘れの防止とを共に実現する。【解決手段】複数の試料Ｓａ，Ｓｂの試験を同時に行う場合において、サブコントローラ２０のＣＰＵ２０１が、ＲＯＭ２０２に記憶された各試料Ｓａ，Ｓｂの試験時間、バーコードスキャナ４０による識別バーコードの読取によりＲＡＭ２０３が受信した各試料Ｓａ，Ｓｂの識別情報、及び、バーコードスキャナ４０による開始バーコードの読取によりＲＡＭ２０３が受信した各試料Ｓａ，Ｓｂの試験開始時点に基づいて、各試料Ｓａ，Ｓｂの試験の進行状況を判断し、無線ルータ５０を介した携帯電話６０ａ，６０ｂへの信号送信や、動作表示灯３０の制御により、各試料Ｓａ，Ｓｂの試験の進行状況を報知する。【選択図】図１
2018059809.tif 000002
【特許請求の範囲】
【請求項１】
複数の物品が配置される内部空間の環境を予め設定された環境とする環境形成装置において、
前記複数の物品それぞれに対する運転時間を記憶する記憶手段と、
前記複数の物品それぞれの識別情報を受信する識別情報受信手段と、
前記複数の物品それぞれに対する運転開始時点を受信する運転開始時点受信手段と、
前記記憶手段に記憶された前記複数の物品それぞれに対する運転時間、前記識別情報受信手段が受信した前記複数の物品それぞれの識別情報、及び、前記運転開始時点受信手段が受信した前記複数の物品それぞれに対する運転開始時点に基づいて、前記複数の物品それぞれに対する運転の進行状況を報知する報知手段と、
を備えたことを特徴とする環境形成装置。
【請求項２】
前記複数の物品それぞれに付された当該物品の識別情報を読み取る読取手段をさらに備え、
前記識別情報受信手段は、前記読取手段が読み取った前記識別情報を受信することを特徴とする請求項１に記載の環境形成装置。
【請求項３】
前記読取手段は、運転開始情報を読み取り可能であり、
前記運転開始時点受信手段は、前記読取手段が前記運転開始情報を読み取ったタイミングを、前記読取手段が当該運転開始情報を読み取る前の直近に読み取った前記識別情報に対応する物品に対する運転開始時点として受信することを特徴とする請求項２に記載の環境形成装置。
【請求項４】
前記内部空間の環境が予め設定された環境となるように空調機器を制御する運転制御手段を有するメインコントローラと、
前記記憶手段、前記識別情報受信手段及び前記運転開始時点受信手段を有し、前記メインコントローラと通信可能に接続されたサブコントローラと、
を備え、
前記サブコントローラは、前記運転開始時点受信手段が前記複数の物品のうち最初に前記内部空間に配置される物品に対する前記運転開始時点を受信すると、前記メインコントローラに運転開始に係る指令を送信する運転開始指令手段をさらに有し、
前記運転制御手段は、前記運転開始指令手段から送信された前記運転開始に係る指令に応じて、前記空調機器の制御を開始することを特徴とする請求項１〜３のいずれか１項に記載の環境形成装置。
【請求項５】
前記読取手段は、運転終了情報を読み取り可能であり、
前記報知手段は、前記内部空間に配置された前記複数の物品全てに対する前記運転終了情報を前記読取手段が読み取ると、スタンバイ状態であることを報知することを特徴とする請求項２又は３に記載の環境形成装置。
【請求項６】
前記内部空間の環境が予め設定された環境となるように空調機器を制御する運転制御手段を有するメインコントローラと、
前記記憶手段、前記識別情報受信手段及び前記運転開始時点受信手段を有し、前記メインコントローラと通信可能に接続されたサブコントローラと、
を備え、
前記サブコントローラは、前記内部空間に配置された前記複数の物品全てに対する前記運転終了情報を前記読取手段が読み取ると、前記メインコントローラに運転停止に係る指令を送信する運転停止指令手段をさらに有し、
前記運転制御手段は、前記運転停止指令手段から送信された前記運転停止に係る指令に応じて、前記空調機器の制御を停止することを特徴とする請求項５に記載の環境形成装置。
【請求項７】
前記進行状況は、運転の終了、運転の中断、運転の終了が近づいていること、及び、運転の中断が近づいていること、の少なくともいずれかを含むことを特徴とする請求項１〜６のいずれか１項に記載の環境形成装置。
【請求項８】
前記報知手段は、前記複数の物品それぞれを管理する担当者が所持する情報端末に、当該物品に対する運転の進行状況を報知することを特徴とする請求項１〜７のいずれか１項に記載の環境形成装置。
【請求項９】
前記報知手段は、動作表示灯を含むことを特徴とする請求項１〜８のいずれか１項に記載の環境形成装置。
【発明の詳細な説明】
【技術分野】
【０００１】
本発明は、複数の物品が配置される内部空間の環境を予め設定された環境とする環境形成装置に関する。
【背景技術】
【０００２】
複数の物品が配置される内部空間の環境を予め設定された環境とする環境形成装置が知られている。例えば特許文献１に記載の環境試験装置（環境形成装置）は、複数の区画に区切られた試験室（内部空間）を有し、被試験物（物品）が複数の区画に分かれて配置され、区画毎の試験の進行状況を報知する報知手段をさらに有する。
【先行技術文献】
【特許文献】
【０００３】
【特許文献１】特許第５４５６６００号公報
【発明の概要】
【発明が解決しようとする課題】
【０００４】
特許文献１に記載の環境試験装置では、区画毎の試験の進行状況を把握することはできても、試料毎の試験の進行状況を把握することは困難である。例えば、ある区画に複数の試料（物品）が配置され、当該複数の物品に対する運転開始時点や運転時間が互いに異なる場合、各物品に対する運転の進行状況を把握するには、各物品に対する運転開始時点をユーザが記録する作業や、各物品に対する運転終了時点をユーザがタイマーにセットする作業が必要となり得る。この場合、上記作業が必要となることから作業効率が下がる上、運転開始時点の記録間違いや記録忘れ、タイマーにセットする運転終了時点の間違い等のヒューマンエラーにより、物品の取出し忘れが生じ得る。物品を取り出し忘れると、物品に過度なストレスがかかると共に、試験や処理の精度が悪化し、ひいては再試験や再処理を行う必要が生じ得る。
【０００５】
本発明の目的は、複数の物品に対する運転を同時に行う場合（即ち、複数の物品に対する運転期間が互いに重複する場合）において、各物品に対する運転の進行状況を容易に把握することができ、作業効率の向上と各物品の取出し忘れの防止とを共に実現可能な環境形成装置を提供することである。
【課題を解決するための手段】
【０００６】
本発明によると、複数の物品が配置される内部空間の環境を予め設定された環境とする環境形成装置において、前記複数の物品それぞれに対する運転時間を記憶する記憶手段と、前記複数の物品それぞれの識別情報を受信する識別情報受信手段と、前記複数の物品それぞれに対する運転開始時点を受信する運転開始時点受信手段と、前記記憶手段に記憶された前記複数の物品それぞれに対する運転時間、前記識別情報受信手段が受信した前記複数の物品それぞれの識別情報、及び、前記運転開始時点受信手段が受信した前記複数の物品それぞれに対する運転開始時点に基づいて、前記複数の物品それぞれに対する運転の進行状況を報知する報知手段と、を備えたことを特徴とする環境形成装置が提供される。
【０００７】
本発明によれば、複数の物品に対する運転を同時に行う場合において、各物品に対する運転の進行状況を把握するために、各物品に対する運転開始時点をユーザが記録する作業や、各物品に対する運転終了時点をユーザがタイマーにセットする作業が必要ではなく、各物品に対する運転の進行状況を容易に把握できると共に、作業効率が向上する。また、運転の進行状況の報知により、各物品の取出し忘れを防止することができる。
【０００８】
本発明に係る環境形成装置は、前記複数の物品それぞれに付された当該物品の識別情報を読み取る読取手段をさらに備え、前記識別情報受信手段は、前記読取手段が読み取った前記識別情報を受信してよい。この場合、識別情報受信手段がキーボード等の入力手段を介して入力された識別情報を受信する場合に比べ、識別情報の入力間違いを抑制することができる。
【０００９】
前記読取手段は、運転開始情報を読み取り可能であり、前記運転開始時点受信手段は、前記読取手段が前記運転開始情報を読み取ったタイミングを、前記読取手段が当該運転開始情報を読み取る前の直近に読み取った前記識別情報に対応する物品に対する運転開始時点として受信してよい。この場合、運転開始時点受信手段が読取手段以外の手段（タブレット型端末、押しボタン等の入力手段）を介して運転開始時点を受信する場合に比べ、構成要素の簡素化、入力作業の省略等が可能となる。
【００１０】
本発明に係る環境形成装置は、前記内部空間の環境が予め設定された環境となるように空調機器を制御する運転制御手段を有するメインコントローラと、前記記憶手段、前記識別情報受信手段及び前記運転開始時点受信手段を有し、前記メインコントローラと通信可能に接続されたサブコントローラと、を備え、前記サブコントローラは、前記運転開始時点受信手段が前記複数の物品のうち最初に前記内部空間に配置される物品に対する前記運転開始時点を受信すると、前記メインコントローラに運転開始に係る指令を送信する運転開始指令手段をさらに有し、前記運転制御手段は、前記運転開始指令手段から送信された前記運転開始に係る指令に応じて、前記空調機器の制御を開始してよい。この場合、既存の装置に備えられている制御ユニットをメインコントローラとし、サブコントローラをさらに追加的に設けることで、既存の装置においても本発明を容易に実現することができる。
【００１１】
前記読取手段は、運転終了情報を読み取り可能であり、前記報知手段は、前記内部空間に配置された前記複数の物品全てに対する前記運転終了情報を前記読取手段が読み取ると、スタンバイ状態であることを報知してよい。この場合、内部空間に配置された全ての物品に対する運転が終了すると、スタンバイ状態であることが報知されることにより、ユーザは、次の試験や処理を実行可能な状況であることを把握することができ、次の試験や処理の準備をスムーズに進めることができる。
【００１２】
本発明に係る環境形成装置は、前記内部空間の環境が予め設定された環境となるように空調機器を制御する運転制御手段を有するメインコントローラと、前記記憶手段、前記識別情報受信手段及び前記運転開始時点受信手段を有し、前記メインコントローラと通信可能に接続されたサブコントローラと、を備え、前記サブコントローラは、前記内部空間に配置された前記複数の物品全てに対する前記運転終了情報を前記読取手段が読み取ると、前記メインコントローラに運転停止に係る指令を送信する運転停止指令手段をさらに有し、前記運転制御手段は、前記運転停止指令手段から送信された前記運転停止に係る指令に応じて、前記空調機器の制御を停止してよい。この場合、既存の装置に備えられている制御ユニットをメインコントローラとし、サブコントローラをさらに追加的に設けることで、既存の装置においても本発明を容易に実現することができる。
【００１３】
前記進行状況は、運転の終了、運転の中断、運転の終了が近づいていること、及び、運転の中断が近づいていること、の少なくともいずれかを含んでよい。
【００１４】
前記報知手段は、前記複数の物品それぞれを管理する担当者が所持する情報端末に、当該物品に対する運転の進行状況を報知してよい。この場合、物品の取り出し忘れをより確実に防止することができる。
【００１５】
前記報知手段は、動作表示灯を含んでよい。この場合、環境形成装置に一般的に装備されている動作表示灯を報知手段として用いることで、構成要素の簡素化、コスト低減を実現することができる。
【発明の効果】
【００１６】
本発明によれば、複数の物品に対する運転を同時に行う場合において、各物品に対する運転の進行状況を把握するために、各物品に対する運転開始時点をユーザが記録する作業や、各物品に対する運転終了時点をユーザがタイマーにセットする作業が必要ではなく、各物品に対する運転の進行状況を容易に把握できると共に、作業効率が向上する。また、運転の進行状況の報知により、各物品の取出し忘れを防止することができる。
【図面の簡単な説明】
【００１７】
【図１】本発明の第１実施形態に係る環境試験装置の概略構成を示す図である。
【図２】本発明の第１実施形態に係る環境試験装置におけるサブコントローラのＲＯＭに記憶されている記憶内容の一例を示す模式図である。
【図３】本発明の第１実施形態に係る環境試験装置において２つの試料の試験を行う場合の一例を示すタイムチャートである。
【図４】本発明の第１実施形態に係る環境試験装置において図３のように２つの試料の試験を行う場合にメインコントローラ及びサブコントローラが実行する制御内容を示すフロー図である。
【図５】図４に続く制御内容を示すフロー図である。
【図６】本発明の第２実施形態に係る環境試験装置の概略構成を示す図である。
【図７】本発明の第３実施形態に係る環境試験装置の概略構成を示す図である。
【発明を実施するための形態】
【００１８】
＜第１実施形態＞
先ず、図１を参照し、本発明の第１実施形態に係る環境試験装置１の全体構成について説明する。
【００１９】
環境試験装置１は、例えば製品の品質試験における評価工程、製品の開発試験における開発工程等に用いられる。
【００２０】
環境試験装置１は、試験槽１０と、メインコントローラ１ｃと、サブコントローラ２０と、動作表示灯３０と、バーコードスキャナ４０と、無線ルータ５０とを有する。
【００２１】
試験槽１０は、複数の試料が配置される内部空間１０ｖを有する。なお、図１には２つの試料Ｓａ，Ｓｂが示されているが、これら以外の試料（例えば試料Ｓｃ，Ｓｄ，Ｓｅ：図２参照）も内部空間１０ｖに配置可能である。
【００２２】
メインコントローラ１ｃは、ＣＰＵ（Central Processing Unit）１ｃ１、ＲＯＭ（Read Only Memory）１ｃ２、ＲＡＭ（Random Access Memory）１ｃ３等を含む。
【００２３】
サブコントローラ２０は、ＣＰＵ（Central Processing Unit）２０１、ＲＯＭ（Read Only Memory）２０２、ＲＡＭ（Random Access Memory）２０３等を含む。サブコントローラ２０は、本実施形態ではＲＳ−４８５／ＬＡＮ変換機で構成され、ＲＳ４８５ケーブル５ａを介してメインコントローラ１ｃと通信可能に接続されている。また、サブコントローラ２０は、ＵＳＢケーブル５ｂを介して動作表示灯３０及びバーコードスキャナ４０と通信可能に接続され、さらにＬＡＮケーブル５ｃを介して無線ルータ５０と通信可能に接続されている。
【００２４】
動作表示灯３０は、「スタンバイ」「試験中」「試料の投入（即ち、内部空間１０ｖへの配置）待ち」「試料の取出し（即ち、内部空間１０ｖからの取出し）待ち」の各段階に対応する態様で点灯可能であり、各試料の試験の進行状況を報知する。
【００２５】
バーコードスキャナ４０は、各試料Ｓａ〜Ｓｅの識別情報を示すバーコード（識別バーコード）、運転開始情報を示すバーコード（開始バーコード）及び運転終了情報を示すバーコード（終了バーコード）を読み取り可能である。識別バーコードは、各試料Ｓａ〜Ｓｅに付されている。開始バーコード及び終了バーコードは、環境試験装置１を構成する任意の部材又は環境試験装置１外部の部材に付されてよい。
【００２６】
無線ルータ５０は、各試料Ｓａ〜Ｓｅを管理する担当者が所持する携帯電話（例えば図１に示すように、試料Ｓａを管理する担当者が保持する携帯電話６０ａ、及び、試料Ｓｂを管理する担当者が保持する携帯電話６０ｂ）に信号を送信し、各担当者が管理する試料の試験の進行状況を報知する。当該報知は、Ｅメールの送信、ディスプレイを介した画像出力、アラームによる音声出力等により行われてよい。
【００２７】
サブコントローラ２０のＲＯＭ２０２は、内部空間１０ｖに配置可能な各試料Ｓａ〜Ｓｅの試験時間（運転時間）を記憶している。具体的には、ＲＯＭ２０２は、図２に示すように、試料Ｓａの試験時間が３時間、試料Ｓｂの試験時間が２時間、試料Ｓｃの試験時間が１時間等、試料Ｓａ〜Ｓｅそれぞれの試験時間（即ち、試料と試験時間とを一対一で紐付けた情報）を記憶している。
【００２８】
メインコントローラ１ｃのＲＯＭ１ｃ２は、試験時間以外の試験条件（温度、湿度等）を記憶している。
【００２９】
メインコントローラ１ｃのＣＰＵ１ｃ１は、サブコントローラ２０からの指令に基づき、加熱器、冷凍機等の空調機器（図示略）を制御することにより、内部空間１０ｖの環境を予め設定された環境とする。
【００３０】
次いで、環境試験装置１において図３のように試料Ｓａ，Ｓｂの試験を行う場合にメインコントローラ１ｃ及びサブコントローラ２０が実行する制御内容について説明する。
【００３１】
試料Ｓａ，Ｓｂは、試験条件（温度、湿度等）が互いに同じであるが、図３に示すように試験開始時点が互いに異なり、また図２に示すように試験時間も互いに異なる。
【００３２】
先ず、サブコントローラ２０のＣＰＵ２０１は、試料Ｓａ，Ｓｂが投入される前、図４に示すように、動作表示灯３０を「スタンバイ」に対応する態様で点灯させ、スタンバイ状態であることを報知する（Ｓ１）。
【００３３】
Ｓ１の後、バーコードスキャナ４０により、試料Ｓａに付された識別バーコードが読み取られる（Ｓ２）。バーコードスキャナ４０が読み取った当該識別バーコードの情報は、サブコントローラ２０のＲＡＭ２０３に受信される。
【００３４】
Ｓ２の後、サブコントローラ２０のＣＰＵ２０１は、動作表示灯３０を「試料の投入待ち」に対応する態様で点灯させ、試料の投入待ちであることを報知する（Ｓ３）。
【００３５】
Ｓ３の後、試料Ｓａが内部空間１０ｖに配置された後、バーコードスキャナ４０により、開始バーコードが読み取られる（Ｓ４）。バーコードスキャナ４０が読み取った開始バーコードの情報は、サブコントローラ２０のＲＡＭ２０３に受信される。ここで、ＲＡＭ２０３は、バーコードスキャナ４０が開始バーコードを読み取ったタイミングを、試料Ｓａの試験開始時点（運転開始時点）として受信する。
【００３６】
Ｓ４の後、サブコントローラ２０のＣＰＵ２０１は、メインコントローラ１ｃに運転開始に係る指令を送信すると共に、試料Ｓａの試験時間のカウントを開始する（Ｓ５）。Ｓ５の後、メインコントローラ１ｃのＣＰＵ１ｃ１は、上記空調機器（図示略）を制御することにより、環境試験装置１の運転を開始させる（Ｓ６）。Ｓ６の後、サブコントローラ２０のＣＰＵ２０１は、動作表示灯３０を「試験中」に対応する態様で点灯させ、試験中であることを報知する（Ｓ７）。
【００３７】
Ｓ７の後、バーコードスキャナ４０により、試料Ｓｂに付された識別バーコードが読み取られる（Ｓ８）。バーコードスキャナ４０が読み取った当該識別バーコードの識別情報は、サブコントローラ２０のＲＡＭ２０３に受信される。
【００３８】
Ｓ８の後、サブコントローラ２０のＣＰＵ２０１は、動作表示灯３０を「試料の投入待ち」に対応する態様で点灯させ、試料の投入待ちであることを報知する（Ｓ９）。
【００３９】
Ｓ９の後、試料Ｓｂが内部空間１０ｖに配置された後、バーコードスキャナ４０により、開始バーコードが読み取られる（Ｓ１０）。バーコードスキャナ４０が読み取った開始バーコードの情報は、サブコントローラ２０のＲＡＭ２０３に受信される。ここで、ＲＡＭ２０３は、バーコードスキャナ４０が開始バーコードを読み取ったタイミングを、試料Ｓｂの試験開始時点として受信する。
【００４０】
Ｓ１０の後、サブコントローラ２０のＣＰＵ２０１は、試料Ｓｂの試験時間のカウントを開始し（Ｓ１１）、動作表示灯３０を「試験中」に対応する態様で点灯させ、試験中であることを報知する（Ｓ１２）。
【００４１】
Ｓ１２の後、サブコントローラ２０のＣＰＵ２０１は、試料Ｓａの試験が終了したか否かを判断する（Ｓ１３）。具体的には、サブコントローラ２０のＣＰＵ２０１が、ＲＯＭ２０２に記憶された試料Ｓａの試験時間と、ＲＡＭ２０３に記憶されている試料Ｓａの試験開始時点とに基づいて、試料Ｓａの試験が終了したか否か（即ち、試料Ｓａの試験開始時点から試料Ｓａの試験時間が経過したか否か）を判断する。
【００４２】
試料Ｓａの試験が終了していないと判断した場合（Ｓ１３：ＮＯ）、サブコントローラ２０のＣＰＵ２０１は、当該判断処理を繰り返す。
【００４３】
試料Ｓａの試験が終了したと判断した場合（Ｓ１３：ＹＥＳ）、サブコントローラ２０のＣＰＵ２０１は、携帯電話６０ａに信号を送信し、試料Ｓａの試験が終了したことを報知する（Ｓ１４）。さらにサブコントローラ２０のＣＰＵ２０１は、Ｓ１４の後、動作表示灯３０を「試料の取出し待ち」に対応する態様で点灯させ、試料の取出し待ちであることを報知する（Ｓ１５）。
【００４４】
Ｓ１５の後、試料Ｓａが内部空間１０ｖから取り出された後、バーコードスキャナ４０により、試料Ｓａに付された識別バーコードが読み取られ（Ｓ１６）、さらに終了バーコードが読み取られる（Ｓ１７）。バーコードスキャナ４０が読み取った終了バーコードの情報は、サブコントローラ２０のＲＡＭ２０３に受信される。ここで、ＲＡＭ２０３は、バーコードスキャナ４０が終了バーコードを読み取ったタイミングを、試料Ｓａの試験終了時点として受信する。
【００４５】
Ｓ１７の後、サブコントローラ２０のＣＰＵ２０１は、動作表示灯３０を「試験中」に対応する態様で点灯させ、試験中であることを報知する（Ｓ１８）。
【００４６】
Ｓ１８の後、サブコントローラ２０のＣＰＵ２０１は、試料Ｓｂの試験が終了したか否かを判断する（Ｓ１９）。具体的には、サブコントローラ２０のＣＰＵ２０１が、ＲＯＭ２０２に記憶された試料Ｓｂの試験時間と、ＲＡＭ２０３に記憶されている試料Ｓｂの試験開始時点とに基づいて、試料Ｓｂの試験が終了したか否か（即ち、試料Ｓｂの試験開始時点から試料Ｓｂの試験時間が経過したか否か）を判断する。
【００４７】
試料Ｓｂの試験が終了していないと判断した場合（Ｓ１９：ＮＯ）、サブコントローラ２０のＣＰＵ２０１は、当該判断処理を繰り返す。
【００４８】
試料Ｓｂの試験が終了したと判断した場合（Ｓ１９：ＹＥＳ）、サブコントローラ２０のＣＰＵ２０１は、携帯電話６０ｂに信号を送信し、試料Ｓｂの試験が終了したことを報知する（Ｓ２０）。さらにサブコントローラ２０のＣＰＵ２０１は、Ｓ２０の後、動作表示灯３０を「試料の取出し待ち」に対応する態様で点灯させ、試料の取出し待ちであることを報知する（Ｓ２１）。
【００４９】
Ｓ２１の後、試料Ｓｂが内部空間１０ｖから取り出された後、バーコードスキャナ４０により、試料Ｓｂに付された識別バーコードが読み取られ（Ｓ２２）、さらに終了バーコードが読み取られる（Ｓ２３）。バーコードスキャナ４０が読み取った終了バーコードの情報は、サブコントローラ２０のＲＡＭ２０３に受信される。ここで、ＲＡＭ２０３は、バーコードスキャナ４０が終了バーコードを読み取ったタイミングを、試料Ｓｂの試験終了時点として受信する。
【００５０】
Ｓ２３の後、サブコントローラ２０のＣＰＵ２０１は、メインコントローラ１ｃに運転停止に係る指令を送信し、メインコントローラ１ｃのＣＰＵ１ｃ１の制御により環境試験装置１の運転を停止させる（Ｓ２４）。Ｓ２４の後、サブコントローラ２０のＣＰＵ２０１は、動作表示灯３０を「スタンバイ」に対応する態様で点灯させ、スタンバイ状態であることを報知する（Ｓ２５）。
【００５１】
以上に述べたように、本実施形態によれば、複数の試料Ｓａ，Ｓｂの試験を同時に行う場合において、サブコントローラ２０のＣＰＵ２０１が、ＲＯＭ２０２（記憶手段）に記憶された各試料Ｓａ，Ｓｂの試験時間、ＲＡＭ２０３（識別情報受信手段）が受信した各試料Ｓａ，Ｓｂの識別情報、及び、ＲＡＭ２０３（試験開始時点受信手段）が受信した各試料Ｓａ，Ｓｂの試験開始時点に基づいて、各試料Ｓａ，Ｓｂの試験の進行状況（本実施形態では、試験の終了）を判断し（図５のＳ１３及びＳ１９参照）、無線ルータ５０を介した携帯電話６０ａ，６０ｂへの信号送信や、動作表示灯３０の制御により、各試料Ｓａ，Ｓｂの試験の進行状況（複数の物品それぞれに対する運転の進行状況）を報知する（図５のＳ１４，Ｓ１５及びＳ２０，Ｓ２１参照）。即ち、サブコントローラ２０のＣＰＵ２０１及び動作表示灯３０が本発明に係る報知手段に該当する。これにより、複数の試料Ｓａ，Ｓｂの試験を同時に行う場合において、試料Ｓａ，Ｓｂ毎の試験の進行状況を把握するために、試料Ｓａ，Ｓｂ毎の試験開始時点をユーザが記録する作業や、試料Ｓａ，Ｓｂ毎の試験終了時点をユーザがタイマーにセットする作業が必要ではなく、試料Ｓａ，Ｓｂ毎の試験の進行状況を容易に把握できると共に、作業効率が向上する。また、試験の進行状況の報知により、各試料Ｓａ，Ｓｂの取出し忘れを防止することができる。
【００５２】
環境試験装置１は、各試料Ｓａ〜Ｓｅに付された当該試料の識別情報を読み取るバーコードスキャナ４０（読取手段）をさらに備え、サブコントローラ２０のＲＡＭ２０３（識別情報受信手段）は、バーコードスキャナ４０が読み取った識別情報を受信する。この場合、識別情報受信手段がキーボード等の入力手段を介して入力された識別情報を受信する場合に比べ、識別情報の入力間違いを抑制することができる。
【００５３】
バーコードスキャナ４０は、開始バーコード（運転開始情報）を読み取り可能であり、サブコントローラ２０のＲＡＭ２０３（試験開始時点受信手段）は、バーコードスキャナ４０が開始バーコードを読み取ったタイミングを、バーコードスキャナ４０が当該開始バーコードを読み取る前の直近に読み取った識別情報に対応する試料の試験開始時点として受信する（図４のＳ４，Ｓ５及びＳ１０，Ｓ１１参照）。この場合、運転開始時点受信手段が読取手段以外の手段（タブレット型端末、押しボタン等の入力手段）を介して運転開始時点を受信する場合に比べ、構成要素の簡素化、入力作業の省略等が可能となる。
【００５４】
環境試験装置１は、メインコントローラ１ｃ及びサブコントローラ２０を有し、サブコントローラ２０のＣＰＵ２０１（運転開始指令手段）が、複数の試料Ｓａ，Ｓｂのうち最初に内部空間１０ｖに配置される試料に対する運転開始時点を受信すると、メインコントローラ１ｃに運転開始に係る指令を送信し、メインコントローラ１ｃのＣＰＵ１ｃ１（運転制御手段）は、当該指令に応じて、空調機器の制御を開始する（図４のＳ４〜Ｓ６参照）。この場合、既存の装置に備えられている制御ユニットをメインコントローラとし、サブコントローラをさらに追加的に設けることで、既存の装置においても本発明を容易に実現することができる。
【００５５】
バーコードスキャナ４０は、終了バーコード（運転終了情報）を読み取り可能であり、サブコントローラ２０のＣＰＵ２０１（報知手段）は、内部空間１０ｖに配置された複数の試料Ｓａ，Ｓｂ全てに対する終了バーコード（運転終了情報）をバーコードスキャナ４０が読み取ると、スタンバイ状態であることを報知する（図５のＳ１７，Ｓ２３，Ｓ２５参照）。この場合、内部空間１０ｖに配置された全ての試料Ｓａ，Ｓｂの試験が終了すると、スタンバイ状態であることが報知されることにより、ユーザは、次の試験を実行可能な状況であることを把握することができ、次の試験の準備をスムーズに進めることができる。
【００５６】
サブコントローラ２０のＣＰＵ２０１（運転停止指令手段）は、内部空間１０ｖに配置された複数の試料Ｓａ，Ｓｂ全てに対する終了バーコード（運転終了情報）をバーコードスキャナ４０が読み取ると、メインコントローラ１ｃに運転停止に係る指令を送信し、メインコントローラ１ｃのＣＰＵ１ｃ１（運転制御手段）は、当該指令に応じて、空調機器の制御を停止する（図５のＳ１７，Ｓ２３，Ｓ２４参照）。この場合、既存の装置に備えられている制御ユニットをメインコントローラとし、サブコントローラをさらに追加的に設けることで、既存の装置においても本発明を容易に実現することができる。
【００５７】
サブコントローラ２０のＣＰＵ２０１（報知手段）は、各試料Ｓａ，Ｓｂを管理する担当者が所持する携帯電話６０ａ，６０ｂ（情報端末）に、当該試料の試験の進行状況を報知する（図５のＳ１４及びＳ２０参照）。この場合、試料Ｓａ，Ｓｂの取り出し忘れをより確実に防止することができる。
【００５８】
各試料Ｓａ，Ｓｂの試験の進行状況を報知する報知手段は、動作表示灯３０を含む。この場合、環境試験装置１に一般的に装備されている動作表示灯３０を報知手段として用いることで、構成要素の簡素化、コスト低減を実現することができる。
【００５９】
＜第２実施形態＞
続いて、図６を参照し、本発明の第２実施形態に係る環境試験装置１ｘについて説明する。
【００６０】
環境試験装置１ｘは、試料の試験開始時点及び試験終了時点の入力がバーコードスキャナ４０ではなくタブレット型端末２００により行われる点において第１実施形態と異なり、これ以外は第１実施形態と同じである。タブレット型端末２００は、無線ルータ５０を介してサブコントローラ２０と通信可能である。
【００６１】
本実施形態では、図４のＳ４，Ｓ１０において、バーコードスキャナ４０により開始バーコードが読み取られる代わりに、タブレット型端末２００のブラウザに表示された「ＳＴＡＲＴ」のアイコンがタップされる。
【００６２】
本実施形態では、図５のＳ１７，Ｓ２３において、バーコードスキャナ４０により終了バーコードが読み取られる代わりに、タブレット型端末２００のブラウザに表示された「ＥＮＤ」のアイコンがタップされる。
【００６３】
＜第３実施形態＞
続いて、図７を参照し、本発明の第３実施形態に係る環境試験装置１ｙについて説明する。
【００６４】
環境試験装置１ｙは、試料の試験開始時点及び試験終了時点の入力がバーコードスキャナ４０ではなく押しボタン３００ａ，３００ｂにより行われる点において第１実施形態と異なり、これ以外は第１実施形態と同じである。押しボタン３００ａ，３００ｂは、試験槽１０の外面に設けられており、メインコントローラ１ｃ及びサブコントローラ２０と通信可能に接続されている。
【００６５】
本実施形態では、図４のＳ４，Ｓ１０において、バーコードスキャナ４０により開始バーコードが読み取られる代わりに、試験開始を示す押しボタン３００ａが押下される。
【００６６】
また本実施形態では、図５のＳ１７，Ｓ２３において、バーコードスキャナ４０により終了バーコードが読み取られる代わりに、試験終了を示す押しボタン３００ｂが押下される。
【００６７】
以上、本発明の好適な実施の形態について説明したが、本発明は上述の実施形態に限られるものではなく、特許請求の範囲に記載した限りにおいて様々な設計変更が可能なものである。
【００６８】
・内部空間に配置される物品の数は、複数である限り、特に限定されない。
・報知手段は、動作表示灯を含むことに限定されず、例えばスピーカ、ディスプレイ等を含んでもよい。
・報知手段が報知する運転の進行状況は、「運転（試験や処理）の終了」に限定されず、「運転（試験や処理）の終了」「運転（試験や処理）の中断」「運転（試験や処理）の終了が近づいていること」「運転（試験や処理）の中断が近づいていること」の少なくともいずれかを含めばよい。
・識別情報は、バーコードに限定されず、例えば試料や製品の番号であってもよい。
・読取手段は、バーコードスキャナに限定されず、例えば試料や製品の番号のような識別情報を読み取る装置であってもよい。
・識別情報受信手段は、読取手段が読み取った識別情報を受信する他、キーボード等の入力手段を介して入力された識別情報を受信してもよい。
・複数の物品それぞれを管理する担当者が所持する情報端末は、携帯電話に限定されず、例えばパーソナルコンピュータ、タブレット型端末等であってもよい。
・上述の実施形態では、メインコントローラ１ｃ及びサブコントローラ２０が設けられており、サブコントローラ２０が記憶手段、識別情報受信手段及び運転開始時点受信手段を有するが、これに限定されない。例えば、上述の実施形態において、サブコントローラ２０を省略し、メインコントローラ１ｃのＲＯＭ１ｃ２が記憶手段を構成し、メインコントローラ１ｃのＲＡＭ１ｃ３が識別情報受信手段及び運転開始時点受信手段を構成してもよい。また、この場合において、メインコントローラ１ｃのＣＰＵ１ｃ１が報知手段を構成してよい。
・上述の実施形態では、試料Ｓｂの投入後のＳ１３で試料Ｓａの試験が終了したか否かが判断されるが、これに限定されず、試料Ｓａの試験開始後の任意のタイミングで（例えば試料Ｓｂの投入前に）試料Ｓａの試験が終了したか否かが判断されてもよい。
・上述の実施形態では、試料Ｓａの取出し後のＳ１９で試料Ｓｂの試験が終了したか否かが判断されるが、これに限定されず、試料Ｓｂの試験開始後の任意のタイミングで（例えば試料Ｓａの取出し前に）試料Ｓｂの試験が終了したか否かが判断されてもよい。
・上述の実施形態では、試料Ｓａの試験が試料Ｓｂの試験よりも先に終了するが、これに限定されず、試料Ｓｂの試験が試料Ｓａの試験よりも先に終了する場合もある。つまり、本発明において、複数の物品に対する運転開始時点や運転時間は特に限定されない。
・本発明は、上述の実施形態で例示した環境試験装置に限定されず、例えば製品の生産ラインにおける熱処理工程に用いられるオーブン（熱処理装置）等、物品が配置される内部空間の環境を予め設定された環境とすることが可能な任意の装置に適用可能である。なお、本発明を製品の処理を行う装置（熱処理装置等）に適用する場合は、上述の実施形態における「試料」を「製品」に読み替え、「試験」を「処理」（例えば、「試験時間」を「処理時間」、「試験開始時点」を「処理開始時点」等）に読み替えればよい。
【符号の説明】
【００６９】
１；１ｘ；１ｙ  環境試験装置（環境形成装置）
１ｃ  メインコントローラ
１ｃ１  ＣＰＵ（運転制御手段）
１ｃ２  ＲＯＭ
１ｃ３  ＲＡＭ
１０  試験槽
１０ｖ  内部空間
２０  サブコントローラ
２０１  ＣＰＵ（報知手段，運転開始指令手段，運転停止指令手段）
２０２  ＲＯＭ（記憶手段）
２０３  ＲＡＭ（識別情報受信手段，運転開始時点受信手段）
３０  動作表示灯（報知手段）
４０  バーコードスキャナ（読取手段）
５０  無線ルータ
６０ａ，６０ｂ  携帯電話（情報端末）
２００  タブレット型端末
３００ａ，３００ｂ  押しボタン
Ｓａ〜Ｓｅ  試料（物品）
【図１】
2018059809.tif 000003
【図２】
2018059809.tif 000004
【図３】
2018059809.tif 000005
【図４】
2018059809.tif 000006
【図５】
2018059809.tif 000007
【図６】
2018059809.tif 000008
【図７】
2018059809.tif 000009